(57)【特許請求の範囲】
【請求項１】
輸液スタンドのポール（３０）の一方の外周面を把持する把持形状部と、前記把持形状部に対向する起立形状部とを形成したクランプ基部（１）と、
前記ポールの他方の外周面を把持する把持部材（８）と、
前記把持部材をその一端で回転可能に設け、その他端に回転ノブ（９）を固定し、その長手方向に雄ネジ部を形成した主軸体（５）と、
前記主軸体の雄ネジ部に歯合する雌ネジ部を形成するとともに、前記起立形状部に配置される歯合部材（１５，１６）と、
前記主軸体と同軸上に配設されるとともに、前記回転ノブ側に向けて移動されたときに前記回転ノブと係合する操作部材（３）と、
前記操作部材を前記回転ノブ側に向けて移動しつつ、前記回転ノブを歯合解除方向に回転することで、前記歯合部材と前記主軸体との間の歯合解除を行う歯合解除手段と、を備えたクランプ装置であって、
取り外し時には、前記歯合解除手段の操作で前記歯合解除後に、前記主軸体をその長手方向に移動して前記ポールから取り外すとともに、
固定時には、前記歯合解除手段の操作で前記ポールに前記把持部材が当接する位置で停止させ、前記回転ノブの歯合方向の回転操作で前記歯合部材と前記主軸体との間の歯合状態にし、さらに前記回転操作で前記把持部材を移動させることで、前記把持形状部との間で固定状態とし、
前記歯合部材は、前記主軸体の雄ネジ部（５ａ）に歯合する雌ネジ部（１５ａ）を半円錐体の三角面上に形成した第１半円錐歯合部材（１５）と、前記主軸体の雄ネジ部に歯合する雌ネジ部（１６ａ）を半円錐体の三角面上に形成した第２半円錐歯合部材（１６）と、を備え、
前記第１半円錐歯合部材及び前記第２半円錐歯合部材の前記三角面を対向させた状態で対向配置させ、その傾斜内周面に摺接させて前記三角面の頂点が前記回転ノブに向かうように配置させるとともに、第１付勢部材（７）により前記第１半円錐歯合部材及び前記第２半円錐歯合部材を前記回転ノブに向けて移動付勢させた状態で固定形状部材を用いて前記起立形状部に固定し、
前記操作部材は、その一端に一対の突起部（４）を外側に突出形成し、その他端に前記回転ノブの第１係合部（９ａ）に対して係合する第２係合部（３ａ）を、また中間部に外方に延設されるフランジ部を形成し、第２付勢部材（６）により前記操作部材が前記回転ノブから離れるように移動付勢され、
前記歯合解除手段は、その中間部において一対の対向片部が形成され、前記各対向片部は前記第１半円錐歯合部材及び前記第２半円錐歯合部材の夫々の前記三角面の間に位置され、その一端において前記各突起部を潜入する一対の螺旋溝部を形成し、その他端において蓋部材を固定する溝部を形成した筒状部材（１３）を備え、
前記操作部材を前記第２付勢部材の付勢力に抗して前記回転ノブ側に移動することで前記第１係合部と前記第２係合部とが係合され、
前記歯合状態において、前記操作部材の各突起部は前記螺旋溝部の底部に位置し、かつ、前記筒状部材は各対向片部が上下に位置し、かつ、前記三角面の間に位置し、
前記操作部材が移動操作されると、該操作部材の各突起部は前記螺旋溝部の底部から離れつつ前記筒状部材を反時計方向に回転させるとともに、各対向片部も反時計方向に回転して前記第１半円錐歯合部材と前記第２半円錐歯合部材とが離れる方向に移動し、前記主軸体に対する歯合状態を解除させることを特徴とするクランプ装置。
【請求項２】
前記筒状部材の前記螺旋溝部には樹脂製の螺旋溝部材が嵌合されることを特徴とする請求項１に記載のクランプ装置。
【請求項３】
前記回転ノブの前記第１係合部は外側スプライン溝であり、
前記操作部材の前記第２係合部は内側スプライン溝であることを特徴とする請求項１又は２に記載のクランプ装置。
【請求項４】
前記雌ネジ部と前記雄ネジ部は、多条ネジであることを特徴とする請求項１乃至３のいずれか１項に記載のクランプ装置。
【請求項５】
前記第１付勢部材と、前記第２付勢部材は圧縮コイルバネであることを特徴とする請求項１乃至４のいずれか１項に記載のクランプ装置。
【請求項６】
前記操作部材と、前記固定形状部材との間に設けられることで前記筒状部材及び前記主軸体を覆う第１伸縮ブーツカバーと、前記蓋部材と前記把持部材との間に設けられる第２伸縮ブーツカバーと、を備えることを特徴とする請求項１乃至５のいずれか１項に記載のクランプ装置。
【請求項７】
前記把持部材は、前記把持形状部の第１谷形状部と対称となる第２谷形状部を形成するとともに、前記第１谷形状部と前記第２谷形状部が向き合うことを特徴とする請求項１乃至６のいずれか１項に記載のクランプ装置。
【請求項８】
前記クランプ基部に固定される輸液装置載置用の設置台を、さらに設けたことを特徴とする請求項１乃至７のいずれか１項に記載のクランプ装置。
【発明の詳細な説明】
【技術分野】
【０００１】
本発明は、クランプ装置に係り、特に各種輸液装置を夫々異なる直径を有するポールを備えた各種輸液スタンドに簡単な操作で着脱可能にするクランプ装置に関する。
【背景技術】
【０００２】
医療現場では、輸液チューブに蠕動運動を与えることで輸液を行う蠕動式輸液ポンプやシリンジを用いて精度の高い輸液を行うシリンジポンプが用いられる。（特許文献１）
これらの各種輸液装置を用いて輸液を行うときに、輸液スタンドから起立状態で固定されたポールに対して輸液装置を固定するためにクランプ装置が使用される。具体的にはクランプ装置には設置台が固定されており、この設置台上に上記の輸液ポンプやシリンジポンプを固定することで、輸液ポンプやシリンジポンプを輸液スタンドに固定できるようにしている。
【０００３】
また、特に複数の輸液装置を集約して移動させる際には、共通の輸液スタンドのポールに輸液ポンプやシリンジポンプを固定しておくことで、特定患者の搬送時や患者の輸液中における移動が可能となる。さらに、各種輸液装置は、輸液スタンドから頻繁に取り外されて、別の患者の治療のために別の輸液スタンドに固定される。このため、輸液スタンドのクランプ装置はかなり重要となる。
【０００４】
従来のクランプ装置は、異なる直径のポールの一方の外周面を把持する把持形状部と把持形状部に対向配置される起立形状部とを一体形成したクランプ基部と、ポールの他方の外周面を把持する把持部材をその端部に設けた主軸体と、主軸体の他端に固定される回転ノブとを備えて構成されており、回転ノブの正逆方向の回動操作で各種輸液装置をポールを有する各種輸液スタンドに着脱可能に固定している。
【特許文献１】特許第３５０２０８６号公報
【発明の開示】
【発明が解決しようとする課題】
【０００５】
しかしながら、上記の従来のクランプ装置は、輸液スタンドのポールに着脱する際に、回転ノブを回転させ主軸体をその長手方向に動かすことでポールに対する把持状態の解除および固定を行う構造である。このため、特に異なる直径のポールを有する輸液スタンドに取り付けるためには、落下防止のために一方の手で輸液装置を支えておき、他方の手で回転ノブを何回転も回し続ける必要があった。また、固定する際には、これとは逆の手順を行う必要があった。
【０００６】
以上のように、輸液スタンドのポールに輸液装置を着脱および固定する作業は時間的ロスと、肉体的負担を少なからず招く。このため、特に日常的に緊急を要することが多い医療現場では改善が望まれていた。
【０００７】
したがって、本発明は上記の事情に鑑みてなされたものであり、輸液スタンドのポールに対して輸液装置を着脱および固定する作業の時間短縮を図ることができ、かつ肉体的負担を低減できるクランプ装置の提供を目的としている。
【課題を解決するための手段】
【０００８】
以上の課題を解決するために、本発明のクランプ装置によれば、輸液スタンドのポールの一方の外周面を把持する把持形状部と、前記把持形状部に対向する起立形状部とを形成したクランプ基部と、前記ポールの他方の外周面を把持する把持部材と、前記把持部材をその一端で回転可能に設け、その他端に回転ノブを固定し、その長手方向に雄ネジ部を形成した主軸体と、前記主軸体の雄ネジ部に歯合する雌ネジ部を形成するとともに、前記起立形状部に配置される歯合部材と、前記主軸体と同軸上に配設されるとともに、前記回転ノブ側に向けて移動されたときに前記回転ノブと係合する操作部材と、前記操作部材を前記回転ノブ側に向けて移動しつつ、前記回転ノブを歯合解除方向に回転することで、前記歯合部材と前記主軸体との間の歯合解除を行う歯合解除手段と、を備えたクランプ装置であって、取り外し時には、前記歯合解除手段の操作で前記歯合解除後に、前記主軸体をその長手方向に移動して前記ポールから取り外すとともに、固定時には、前記歯合解除手段の操作で前記ポールに前記把持部材が当接する位置で停止させ、前記回転ノブの歯合方向の回転操作で前記歯合部材と前記主軸体との間の歯合状態にし、さらに前記回転操作で前記把持部材を移動させることで、前記把持形状部との間で固定状態とし、前記歯合部材は、前記主軸体の雄ネジ部に歯合する雌ネジ部を半円錐体の三角面上に形成した第１半円錐歯合部材と、前記主軸体の雄ネジ部に歯合する雌ネジ部を半円錐体の三角面上に形成した第２半円錐歯合部材と、を備え、前記第１半円錐歯合部材及び前記第２半円錐歯合部材の前記三角面を対向させた状態で対向配置させ、その傾斜内周面に摺接させて前記三角面の頂点が前記回転ノブに向かうように配置させるとともに、第１付勢部材により前記第１半円錐歯合部材及び前記第２半円錐歯合部材を前記回転ノブに向けて移動付勢させた状態で固定形状部材を用いて前記起立形状部に固定し、前記操作部材は、その一端に一対の突起部を外側に突出形成し、その他端に前記回転ノブの第１係合部に対して係合する第２係合部を、また中間部に外方に延設されるフランジ部を形成し、第２付勢部材により前記操作部材が前記回転ノブから離れるように移動付勢され、前記歯合解除手段は、その中間部において一対の対向片部が形成され、前記各対向片部は前記第１半円錐歯合部材及び前記第２半円錐歯合部材の夫々の前記三角面の間に位置され、その一端において前記各突起部を潜入する一対の螺旋溝部を形成し、その他端において蓋部材を固定する溝部を形成した筒状部材を備え、前記操作部材を前記第２付勢部材の付勢力に抗して前記回転ノブ側に移動することで前記第１係合部と前記第２係合部とが係合され、前記歯合状態において、前記操作部材の各突起部は前記螺旋溝部の底部に位置し、かつ、前記筒状部材は各対向片部が上下に位置し、かつ、前記三角面の間に位置し、前記操作部材が移動操作されると、該操作部材の各突起部は前記螺旋溝部の底部から離れつつ前記筒状部材を反時計方向に回転させるとともに、各対向片部も反時計方向に回転して前記第１半円錐歯合部材と前記第２半円錐歯合部材とが離れる方向に移動し、前記主軸体に対する歯合状態を解除させることを特徴とする。
【００１０】
また、前記筒状部材の前記螺旋溝部には樹脂製の螺旋溝部材が嵌合されることを特徴としている。
【００１１】
また、前記回転ノブの前記第１係合部は外側スプライン溝であり、前記操作部材の前記第２係合部は内側スプライン溝であることを特徴としている。
【００１２】
また、前記雌ネジ部と前記雄ネジ部は、多条ネジであることを特徴としている。
【００１３】
また、前記第１付勢部材と、前記第２付勢部材は圧縮コイルバネであることを特徴としている。
【００１４】
また、前記操作部材と、前記固定形状部材との間に設けられることで前記筒状部材及び前記主軸体を覆う第１伸縮ブーツカバーと、前記蓋部材と前記把持部材との間に設けられる第２伸縮ブーツカバーと、を備えることを特徴としている。
【００１５】
また、前記把持部材は、前記把持形状部の第１谷形状部と対称となる第２谷形状部を形成し、前記第１谷形状部と前記第２谷形状部が向き合うことを特徴としている。
【００１６】
そして、前記クランプ基部に固定される輸液装置載置用の設置台を、さらに設けたことを特徴としている。
【発明の効果】
【００１７】
本発明のクランプ装置によれば、輸液装置を輸液スタンドのポールに固定するとき、またポールから取り外すときに、輸液装置を支えた状態で、回転ノブを何回転も回し続ける必要がなくなるので時間的損失と肉体的負担を最小限に抑えることができる。
【発明を実施するための最良の形態】
【００１８】
以下に、本発明の好適な一実施形態について、添付の図面を参照して説明する。尚、後述の説明では、従来のクランプ装置を改良することで、評価したものについて主に述べるが、この構成に限定されず特許請求の範囲に既定される各種構成があることは言うまでもない。
【００１９】
また、輸液装置としてはシリンジポンプの使用を前提にしているが、これに限定されず、輸液チューブの蠕動運動を行うように構成されたペリスタリックフィンガ方式の輸液ポンプまたは他の方式の輸液装置である回転ローラを備えたローラ式輸液ポンプ等の各種の輸液装置にも適宜適用できることは言うまでもない。さらに、輸液スタンドのポール以外にも任意に固定できる。
【００２０】
先ず、図１は本発明の一実施形態のクランプ装置１と、シリンジ１２３を用いる輸液装置であるシリンジポンプ１２２を、輸液スタンドのポール３０に固定する使用状態を示した外観斜視図である。本図において、シリンジポンプ１２２にはシリンジ１２３の本体を固定する部材１２２ａと、押子をセットするスライダー１２２ｂが設けられており、押子が最大の位置に引き出された状態でセットすることで、内蔵の機構により正確な薬液が輸液チューブを介して送液されるように構成されている。
【００２１】
このシリンジポンプ１２２の底面には、破線図示の雌ネジ穴１２４が形成されており、シリンジポンプ１２２を設置台２００上に載置した状態から、設置台２００に設けられた固定ネジ２０１を雌ネジ穴１２４に歯合させることで設置台２００上にシリンジポンプ１２２を固定して使用するように構成されている。あるいは、設置台２００をクランプ装置１に皿ネジ２５を用いて固定させておき、クランプ装置をポール３０に固定した後に、シリンジポンプ１２２を設置台２００上に置いて、固定ネジ２０１を雌ネジ１２４に歯合させて使用することも可能である。また、設置台２００は、図示のように前方に傾斜しているのでシリンジ１２３の着脱操作などが容易にできることとなる。
【００２２】
この設置台２００には、クランプ装置のクランプ基部１が４本の皿ネジ２５を設置台の雌ネジ部（不図示）に螺合することで固定されている。このクランプ基部１には回転ノブ９と把持部材８が設けられており、回転ノブ９を時計周りに回転操作し、操作部材のフランジ部３ｆを操作することで、後述のようにワンタッチの操作で着脱可能となるように構成されている。また、輸液スタンドのポール３０は、移動キャスタ３２を設けた脚部３１から床面に対して垂直に起立されて固定されている。このポール３０は異なる直径を有する金属パイプ製であって、機種毎にその直径が異なっている。
【００２３】
以上の構成において、輸液スタンドのポール３０にシリンジポンプ１２２を固定および取り外すときに、回転ノブ９を必要最小限度分だけ回転すれば簡単に交換できるように構成されている。このため、特に緊急時において迅速に交換できることとなる。
【００２４】
図２は、図１のクランプ装置の正面図であり、図中の寸法は参考例をｍｍ単位で示したものである。図示のようにクランプ装置の全長は約１８０ｍｍであり、クランプ基部１は９０ｍｍであり、直径範囲である１２．５〜３４ｍｍのポール３０に用いることができるように構成されている。また、重量は２００〜３５０グラムとなっている。無論、これらは一例に過ぎず輸液装置のサイズなどに応じて適宜寸法設定されることは言うまでもない。このクランプ基部１は、図示の横断面形状のアルミ押し出し部材を切断して形成されており、ポールの一方の外周面を把持するための第１の谷形状部１ｍを形成した把持形状部１ａと、第１の谷形状部１ｍと対称となる第２の谷形状部８ｍを形成した把持部材８を備えている。この把持部材８は後述する起立形状部１ｂを貫通する軸本体５の一端で回転可能に設けられている。
【００２５】
この把持部材８を主軸体５の端部において回動自在に設けるため、両側に平ワッシャ１１、１１（図２では、一方のみ図示）を配置しており主軸体５の小径部に対して通過した後に後述するスプリングピンで固定している。この平ワッシャ１１に隣接して蓋部材１７が設けられており、蓋部材１７と上記の起立形状部１ｂのフランジ部材１９との間には第２伸縮ブーツカバー２１が設けられている。また、操作部材３と固定形状部２との間には第１伸縮ブーツカバー２２が設けられており、内部の部品を薬液などから保護できるようにしている。
【００２６】
主軸体５の他端には回転ノブ９が固定されている。また、図中の矢印Ｄ１方向に操作される操作部材３についてもステンレス棒材などから準備される主軸体５に対する同軸状に設けられている。そして、この回転ノブ９の時計周り方向である歯合方向に回転操作することで、上記のシリンジポンプ１２２を含む各種の輸液装置をポール３０を有する各種輸液スタンドに固定するとともに、取り外すときには回転ノブ９を反時計回転方向となる歯合解除方向に回転するように構成されている。
【００２７】
この回転ノブ９の近くの操作部材３にはフランジ形状の操作部３ｆが位置しており、この操作部３ｆの矢印方向Ｄ１の操作と回転ノブ９の歯合解除方向の回転操作により、主軸体５と後述する歯合部材との間の歯合状態が解除される。その後、主軸体５を長手方向に移動自在にさせることができる。その後、主軸体５を起立形状部１ｂに対する任意の位置で固定できるようになる。これに続き回転ノブ９を歯合方向にさらに回転操作して把持部材８と把持形状部１ａとの間でポール３０に対する把持固定状態にすることができる。
【００２８】
また、各種輸液スタンドに対して、把持の際には、操作部３ｆの操作により、主軸体５の長手方向に任意に移動可能である。また、把持状態を解除する際には、回転ノブ９を回転させた直後でなければ操作部３ｆが操作できず、シリンジポンプ２２を上下に移動できない安全設計となっている。このため後述する歯合解除手段を備えている。
【００２９】
図３は、クランプ装置の立体分解図である。本図において、図１、図２で既に説明済みの構成または部品については同様の符号を附して説明を割愛すると、主軸体５は、その長手方向に雄ネジ部５ａを形成している。この雄ネジ部５ａは、起立形状部１ｂと形状固定部材２とに内蔵される歯合部材に対する歯合状態と歯合解除状態とにされる。
【００３０】
この主軸体と同軸に配設されるとともに回転ノブ側に向けて移動されたときに回転ノブと係合される操作部材３を備えており、この操作部材を回転ノブ９側に向けて移動しつつ、回転ノブ９を歯合解除方向に回転することで、歯合部材と主軸体との間の歯合解除を行うための歯合解除手段が設けられている。
【００３１】
そして、取り外し時には、この歯合解除手段の操作で歯合状態を解除した後に、主軸体をその長手方向に移動してポール３０から取り外すとともに、固定時には、歯合解除手段の操作でポール３０に把持部材８が当接する位置で停止させ、回転ノブ９の歯合方向の回転操作で歯合部材と主軸体との間での歯合状態にし、さらに回転操作で把持部材を移動させて把持形状部１ａとの間での固定状態にするように構成されている。
【００３２】
このように使用される歯合解除手段は、種々の構成があるが、図３に示す構成によれば、歯合部材は、主軸体５の雄ネジ部５ａに歯合する雌ネジ部１５ａを半円錐体の三角面１５ｂ上に形成した第１半円錐歯合部材１５と、主軸体の雄ネジ部に歯合する雌ネジ部１６ａを半円錐体の三角面１６ｂ上に形成した第２半円錐歯合部材１６とを備えている。
【００３３】
この第１半円錐歯合部材１５及び第２半円錐歯合部材１６は、各三角面を対向させた状態で対向配置させかつ移動できるようにピン１５ｃ、１５ｃが埋設されており、各ピンを孔部１６ｃ、１６ｃで案内するように構成されている。
【００３４】
また、その傾斜内周面２ａに摺接させて三角面の頂点１５ｂ、１６ｂが回転ノブ９に向かうように配置させるとともに、第１付勢部材である圧縮コイルバネ７により第１半円錐歯合部材１５及び第２半円錐歯合部材１６を回転ノブ９側に向けて移動付勢させた状態で固定形状部材２を用いてネジ１４で起立形状部１ｂのネジ孔部１ｇに固定している。
【００３５】
この操作部材３は樹脂製であり、その一端に一対の突起部４、４を外側に突出形成しており、その他端に回転ノブ９の第１係合部であるスプライン溝９ａに対して係合する第２係合部であるスプライン溝３ａを形成している。また中間部に外方に延設される上記のフランジ部３ｆを形成している。この操作部材９は回転ノブ９から離れるように常時移動付勢されている。
【００３６】
筒状部材１３は、その中間部に一対の対向片部１３ａ、１３ｂを形成しており、各対向片部は第１半円錐歯合部材１５及び第２半円錐歯合部材１６の夫々の三角面１５ｂ、１６ｂの間に位置される。また、筒状部材１３はその一端において操作部材３の各突起部４、４を潜入する一対の螺旋溝部１３ｔを形成しており、その他端において上記の蓋部材１７を固定する溝部１３ｋを形成している。
【００３７】
すなわち、蓋部材１７を主軸体５に挿通後に、蓋部材１７に穿設された上下の孔部にピン１８、１８を圧入すると各ピンが溝部１３ｋ中に留まるようにして蓋部材１７を回動自在かつ抜け止めして固定できるように構成されている。また、ピン１０は孔部５ｄに圧入されることで、把持部材８を平ワッシャー１１、１１の間で保持する。また、筒状部材１３の螺旋溝部１３ｔ中には樹脂製の螺旋溝部材１２が嵌合されることで、磨耗防止を図るようにしている。
【００３８】
第１半円錐歯合部材１５及び第２半円錐歯合部材１６は、筒状部材１３の回転に伴い各対向片部１３ａ、１３ｂにより、後述するように広げられることで第１半円錐歯合部材及び第２半円錐歯合部材の主軸体５に対する歯合状態が解除される。
【００３９】
回転ノブ９は、セットスクリュー２７がネジ部９ｂ（インサート部品）に螺合され、主軸体５のＤカット部５ｃにセットスクリューが固定されて主軸体５と一体化される。この回転ノブ９には第１係合部である外側スプライン溝９ａが形成されており、操作部材３の第２係合部である内側スプライン溝３ａに歯合する状態と、歯合せず回転ノブ９が自由に回転できる状態になる。このため、第２付勢部材である第２圧縮コイルバネ６を操作部材３との間に設けている。
【００４０】
図４は、クランプ装置が不図示のポールに対する把持状態になっている状態を示す動作説明の要部中心断面図である。また、図５（ａ）は歯合状態を示す外観斜視図、図５(ｂ)は半円錐体の第１半円錐歯合部材１５と、第２半円錐歯合部材１６の横断面図、図５(ｃ)は歯合状態を示す拡大図である。図２、図３で既に説明済みの構成または部品については同様の符号を附して説明を割愛すると、把持部材８にエラストマー材料などの不図示の弾性部材を上記の第２の谷形状部８ｍからさらに外側に突出する状態で固定しておき、この弾性部材が適宜変形することで確実に把持できるように構成しても良い。
【００４１】
図４、図５において、上記の半円錐体の第１半円錐歯合部材１５と、第２半円錐歯合部材１６は形状固定部材２に形成された傾斜面２ａ中に位置しており主軸体５の雄ネジ部５ａを前後方向から挟持して各雌ネジ部１５ａ、１６ａが歯合している状態となっている。この把持状態ではポール３０に対して把持部材８がしっかりと固定されている。
【００４２】
この状態では、図５（ａ）は歯合状態を示す要部断面において、操作部材３の各突起部４は螺旋溝部１２ａの底部に位置しており、筒状部材１３は各片部１３ａ、１３ｂが上下に位置しており三角面１５ｂ、１６ｂの間に存在する状態となっている。この状態から、図６(ａ)の歯合解除状態を示す外観斜視図、図６(ｂ)の半円錐体の第１半円錐歯合部材１５と、第２半円錐歯合部材１６の横断面図、図６(ｃ)の歯合解除状態を示す拡大図に夫々図示するように、操作部材３が矢印Ｄ１方向に移動操作されると、操作部材３に一体形成された各突起部４が螺旋溝部１２ａの底部から離れつつ筒状部材１３を反時計方向に回転させることとなる。
【００４３】
この結果、形状固定部材２に形成された傾斜面２ａに当接するように各外側傾斜面１５ｆ、１６ｆが位置していた半円錐体の第１半円錐歯合部材１５と、第２半円錐歯合部材１６に対して、図６(ｂ)に図示した回転力が三角面１５ｂ、１６ｂに作用する。この状態から回転ノブ９を矢印Ｄ１方向に移動しつつ歯合回転方向に回転操作すると、圧縮コイルバネ７の圧縮力に抗して傾斜面２ａから第１半円錐歯合部材１５と、第２半円錐歯合部材１６とが離れるので歯合状態が解除される。そこで、この状態を保持して上記のように把持部材８を任意の位置に移動できるようになる。
【００４４】
以上説明したように、把持部材の移動機構を、ネジによるものではなく、おおまかな位置への移動は、ワンタッチで出来る様にし、確実な固定のための増し締めの操作のみを、回転ノブで行なうことで、輸液ポンプやシリンジポンプを短時問でポールに着脱することが可能となった。このため、作業時間のロスがなくなり、かつ、作業者がポンプ等を支えている時問も短くなるので、肉体的負担も軽減されるようになった。
【図面の簡単な説明】
【００４５】
【図１】本発明の一実施形態のクランプ装置１と、シリンジ１２３を用いる輸液装置であるシリンジポンプ１２２を、輸液スタンドのポール３０に固定する使用状態を示した外観斜視図である。
【図２】図１のクランプ装置の平面図である。
【図３】クランプ装置の立体分解図である。
【図４】クランプ装置の中心断面図である。
【図５】（ａ）は歯合状態を示す外観斜視図、(ｂ)は半円錐体の第１半円錐歯合部材１５と、第２半円錐歯合部材１６の横断面図、(ｃ)は歯合状態を示す拡大図である。
【図６】（ａ）は歯合解除状態を示す外観斜視図、(ｂ)は半円錐体の第１半円錐歯合部材１５と、第２半円錐歯合部材１６の横断面図、(ｃ)は歯合解除状態を示す拡大図である。
【符号の説明】
【００４６】
１  クランプ基部
２  形状固定部材
３  操作部材
４  突起部
５  主軸体
６、７  圧縮コイルバネ
８  把持部材
９  回転ノブ
１３  筒状部材
１５  第１半円錐歯合部材
１６  第２半円錐歯合部材
１２２  シリンジポンプ
３０  ポール
【図１】
0005009717.tif 000002
【図２】
0005009717.tif 000003
【図３】
0005009717.tif 000004
【図４】
0005009717.tif 000005
【図５】
0005009717.tif 000006
【図６】
0005009717.tif 000007